(57)【要約】      （修正有）【課題】良好な電力供給の制御能力を有する電源システムを提供する。【解決手段】第１の電源、第２の電源、配電盤、リレー装置及び制御装置を含む電源システムが提供される。前記配電盤が前記第１の電源に電気的に接続され、前記リレー装置が前記配電盤に電気的に接続される。前記リレー装置が前記第１の電源及び前記第２の電源にそれぞれ電気的に接続された第１のソリッドステートリレー及び第２のソリッドステートリレーを含む。前記制御装置が制御ユニットと第１の電力線通信ユニット（ＰＬＣユニット）とを含む。前記制御ユニットが前記第２の電源に電気的に接続される。前記第１のＰＬＣユニットが前記リレー装置と前記第２の電源との間に電気的に接続され、前記第１のＰＬＣユニットが前記制御ユニットに電気的に接続される。【選択図】図２
2010051166.tif 000002
【特許請求の範囲】
【請求項１】
第１の電源と、第２の電源と、前記第１の電源に電気的に接続された配電盤と、前記配電盤に電気的に接続されたリレー装置と、制御装置とを備え、前記リレー装置が前記第１の電源及び前記第２の電源にそれぞれ電気的に接続された第１のソリッドステートリレー及び第２のソリッドステートリレーを備え、前記制御装置が前記第２の電源に電気的に接続された制御ユニットと、前記リレー装置と前記第２の電源との間に電気的に接続された第１の電力線通信ユニット（ＰＬＣユニット）とを備えることを特徴とする電源システム。
【請求項２】
前記第２の電源は太陽電池パネルと整流器とを備え、前記整流器が前記太陽電池パネル、前記第２のソリッドステートリレー及び前記第１のＰＬＣユニットに電気的に接続されていることを特徴とする請求項１記載の電源システム。
【請求項３】
前記配電盤は、前記第１の電源に電気的に接続された複数の第１の制御スイッチと、前記リレー装置に電気的に接続された複数の第２の制御スイッチとを備えることを特徴とする請求項１記載の電源システム。
【請求項４】
前記制御ユニットに電気的に接続された監視センタを更に備えることを特徴とする請求項１記載の電源システム。
【請求項５】
第１の電源と、第２の電源と、前記第１の電源に電気的に接続された配電盤と、前記配電盤に電気的に接続されたリレー装置と、制御装置とを備え、前記リレー装置が前記第１の電源及び前記第２の電源にそれぞれ電気的に接続された第１のソリッドステートリレー及び第２のソリッドステートリレーを備え、前記制御装置が前記第２の電源に電気的に接続された制御ユニットと、前記リレー装置と前記第２の電源との間に電気的に接続された第１の電力線通信ユニット（ＰＬＣユニット）とを備える電源サブシステムと、
前記制御ユニットに電気的に接続されたホストと、前記ホストに接続された複数のノードとを備える無線通信ネットワークサブシステムと、
を備えることを特徴とする無線通信システム。
【請求項６】
前記配電盤に接続された複数の照明装置を更に備え  前記ノードが前記照明装置内に配置されていることを特徴とする請求項５記載の無線通信システム。
【請求項７】
前記第２の電源は太陽電池パネルと整流器とを備え、前記整流器が前記太陽電池パネル、前記第２のソリッドステートリレー及び前記第１のＰＬＣユニットに電気的に接続されていることを特徴とする請求項５記載の無線通信システム。
【請求項８】
前記配電盤は、前記第１の電源に電気的に接続された複数の第１の制御スイッチと、前記リレー装置に電気的に接続された複数の第２の制御スイッチとを備えることを特徴とする請求項５記載の無線通信システム。
【請求項９】
前記制御ユニットに電気的に接続された監視センタを更に備えることを特徴とする請求項５記載の無線通信システム。
【請求項１０】
第１の電源と、第２の電源と、前記第１の電源に電気的に接続された配電盤と、前記配電盤に電気的に接続されたリレー装置と、制御装置とを含み、前記リレー装置は前記第１の電源及び前記第２の電源にそれぞれ電気的に接続された第１のソリッドステートリレー及び第２のソリッドステートリレーを含み、前記制御装置は前記第２の電源に電気的に接続された制御ユニットと、前記リレー装置と前記第２の電源との間に電気的に接続された第１の電力線通信ユニット（ＰＬＣユニット）とを備える電源サブシステムと、
前記配電盤に電気的に接続された複数の照明装置と、
を備えることを特徴とする照明システム。
【請求項１１】
前記照明装置は発光ダイオード（ＬＥＤ）光源を備えることを特徴とする請求項１０記載の照明システム。
【請求項１２】
前記配電盤は、前記第１の電源に電気的に接続された複数の第１の制御スイッチと、前記リレー装置に電気的に接続された複数の第２の制御スイッチとを備えることを特徴とする請求項１０記載の照明システム。
【請求項１３】
前記第２の電源は太陽電池パネルと整流器とを備え、前記整流器が前記太陽電池パネル、前記第２のソリッドステートリレー及び前記第１のＰＬＣユニットに電気的に接続されていることを特徴とする請求項１０記載の照明システム。
【請求項１４】
無線通信ネットワークサブシステムを更に備え、前記無線通信ネットワークサブシステムは、前記制御ユニットに電気的に接続されたホストと、前記照明装置に配置され、前記ホストに接続された複数のノードとを備えることを特徴とする請求項１０記載の照明システム。
【請求項１５】
前記制御装置は前記制御ユニットに電気的に接続された独立の電源を更に備えることを特徴とする請求項１０記載の照明システム。
【発明の詳細な説明】
【技術分野】
【０００１】
本発明は、一般に電源システムに関するものであり、特に複数の電源を備える電源システム、該電源システムを用いる無線通信システム及び照明システムに関するものである。
【背景技術】
【０００２】
一般に、電子デバイスの多くは動作のために外部代替電源により給電される。しかし、地球上の石油埋蔵量は約５０年分しかなく、そのうえ二酸化炭素による温室効果が地球の環境、例えば世界的な海面の上昇、世界的な気候変動等を引き起こしている。そのため、クリーンエネルギーの使用及び開発が将来の不可欠な潮流になっており、中でも太陽エネルギーが最も普及し、大いに期待されている。近年、太陽電池の光電変換効率は継続的に大きく向上しており、また太陽電池のコストも次第に低下しており、太陽電池を備えた製品が次第に提案されている。
【０００３】
図1は、太陽エネルギーを用いる従来の電源システムの概略ブロック図である。図1を参照すると、従来の電源システム１００は、太陽エネルギー電源１１０、住宅用電源１２０、制御装置１３０及び配電盤１４０を含む。住宅用電源１２０は電力供給のために配電盤１４０に接続される。配電盤１４０は、例えばビルディング用電力を分配するものであり、住宅用電源１２０により供給される電力を各利用者に分配する責任を持つ。
【０００４】
太陽エネルギー電源１１０は、太陽電池パネル１１２及びインバータ１１４を含み、太陽電池パネル１１２は太陽光を電流に変換するために使用され、得られた電流は次いでインバータ１１４により整流され、住宅用電源１２０に並列に接続され、次いで配電盤１４０へと出力される。制御装置１３０はインバータ１１４に電気的に接続され、インバータ１１４から配電盤１４０へ出力される電流の大きさを制御する。
【０００５】
しかし、従来の電源システムの制御装置１３０は、住宅用電源１２０に直接電気的に接続されないため、住宅用電源１２０に電源故障が起こっても、制御装置１３０はこのような故障を知ることはできない。そのため、いったん住宅用電源１２０の電力が故障すると、太陽エネルギー電源１１０に負荷がかかりすぎ、損傷されやすい。それゆえ、離島効果を避けるためにインバータ１１４は住宅用電源１２０の電力状態を正確に決定する必要がある。しかし、太陽エネルギー電源１１０に採用される電力状態を決定し得る整流器はかなり高価になり、その結果電源システム１００のコストが増大する。
【発明の概要】
【発明が解決しようとする課題】
【０００６】
従って、本発明はもっと良好な電力供給の制御能力を有する電源システムを目指している。
【０００７】
本発明は、節電型の無線通信システムを目指している。
【０００８】
本発明は、所望の照明効果を有する照明装置を目指している。
【課題を解決するための手段】
【０００９】
ここに具体的に広く記載されるように、本発明は、第１の電源、第２の電源、配電盤、リレー装置及び制御装置を含む電源システムを提供する。前記配電盤は前記第１の電源に電気的に接続される。前記リレー装置は前記配電盤に電気的に接続される。前記リレー装置は前記第１の電源及び前記第２の電源にそれぞれ電気的に接続された第１のソリッドステートリレー及び第２のソリッドステートリレーを含む。前記制御装置は制御ユニット及び第１の電力線通信ユニット（ＰＬＣユニット）を含む。前記制御ユニットは前記第２の電源に電気的に接続される。前記第１のＰＬＣユニットは前記リレー装置と前記第２の電源との間に電気的に接続され、前記第１のＰＬＣユニットは前記制御ユニットに電気的に接続される。
【００１０】
本発明の一実施例において、前記第２の電源は太陽電池パネル及び整流器を含み、前記整流器は前記太陽電池パネル、前記第２のソリッドステートリレー及び前記第１のＰＬＣユニットに電気的に接続される。
【００１１】
本発明の一実施例において、前記第２の電源は前記太陽電池パネル及び前記整流器に電気的に接続された蓄電池を更に含む。
【００１２】
本発明の一実施例において、前記配電盤は複数の第１の制御スイッチ及び複数の第２の制御スイッチを含む。前記第１の制御スイッチは前記第１の電源に電気的に接続され、前記第２の制御スイッチは前記リレー装置に電気的に接続される。
【００１３】
本発明の一実施例において、前記電源システムは、前記制御ユニットに電気的に接続された監視センタを更に含む。
【００１４】
本発明の一実施例において、前記制御装置は前記制御ユニットに電気的に接続された独立の電源を更に含む。
【００１５】
本発明は、更に、電源サブシステムと無線通信ネットワークサブシステムを含む無線通信システムを提供する。前記電源サブシステムは、第１の電源、第２の電源、配電盤、リレー装置及び制御装置を含む。前記配電盤は前記第１の電源に電気的に接続される。前記リレー装置は前記配電盤に電気的に接続される。前記リレー装置は前記第１の電源及び前記第２の電源にそれぞれ電気的に接続された第１のソリッドステートリレー及び第２のソリッドステートリレーを含む。前記制御装置は制御ユニット及び第１の電力線通信ユニット（ＰＬＣユニット）を含む。前記制御ユニットは前記第２の電源に電気的に接続される。前記第１のＰＬＣユニットは前記リレー装置と前記第２の電源との間に電気的に接続され、前記第１のＰＬＣユニットは前記制御ユニットに電気的に接続される。前記無線通信ネットワークサブシステムはホストと複数のノードを含み、前記ホストは前記制御ユニットに電気的に接続され、前記ノードは前記ホストに接続される。
【００１６】
本発明の一実施例において、前記無線通信システムは、前記配電盤に接続された複数の照明装置を含み、前記ノードは前記照明装置内に配置される。
【００１７】
本発明の一実施例において、前記無線通信ネットワークサブシステムはメッシュネットワークシステムである。
【００１８】
本発明の一実施例において、前記無線通信ネットワークサブシステムは、ＩＥＥＥ８０２．１５．４ＺｉｇＢｅｅ無線通信システム、ＩＥＥＥ８０２．１５．４ＺｉｇＢｅｅ  Ｐｒｏ無線通信システム又はＺ−Ｗａｖｅ無線通信システムである。
【００１９】
本発明の一実施例において、前記第２の電源は太陽電池パネル及び整流器を含み、前記整流器は前記太陽電池パネル、前記第２のソリッドステートリレー及び前記第１のＰＬＣユニットに電気的に接続される。
【００２０】
本発明の一実施例において、前記第２の電源は前記太陽電池パネル及び前記整流器に電気的に接続された蓄電池を更に含む。
【００２１】
本発明の一実施例において、前記配電盤は複数の第１の制御スイッチ及び複数の第２の制御スイッチを含む。前記第１の制御スイッチは前記第１の電源に電気的に接続され、前記第２の制御スイッチは前記リレー装置に電気的に接続される。
【００２２】
本発明の一実施例において、前記無線通信システムは、前記制御ユニットに電気的に接続された監視センタを更に含む。
【００２３】
本発明の一実施例において、前記制御装置は前記制御ユニットに電気的に接続された独立の電源を更に含む。
【００２４】
本発明は、更に、電源サブシステムと複数の照明装置を含む照明システムを提供する。前記電源サブシステムは、第１の電源、第２の電源、配電盤、リレー装置及び制御装置を含む。前記配電盤は前記第１の電源に電気的に接続される。前記リレー装置は前記配電盤に電気的に接続される。前記リレー装置は前記第１の電源及び前記第２の電源にそれぞれ電気的に接続された第１のソリッドステートリレー及び第２のソリッドステートリレーを含む。前記制御装置は制御ユニット及び第１の電力線通信ユニット（ＰＬＣユニット）を含む。前記制御ユニットは前記第２の電源に電気的に接続される。前記第１のＰＬＣユニットは前記リレー装置と前記第２の電源との間に電気的に接続され、前記第１のＰＬＣユニットは前記制御ユニットに電気的に接続される。前記照明装置は前記配電盤に電気的に接続される。
【００２５】
本発明の一実施例において、前記照明装置は発光ダイオード（ＬＥＤ）光源を含む。
【００２６】
本発明の一実施例において、前記配電盤は複数の第１の制御スイッチ及び複数の第２の制御スイッチを含む。前記第１の制御スイッチは前記第１の電源に電気的に接続され、前記第２の制御スイッチは前記リレー装置に電気的に接続される。
【００２７】
本発明の一実施例において、前記照明装置は前記第２の制御スイッチに電気的に接続される。
【００２８】
本発明の一実施例において、前記第２の電源は太陽電池パネル及び整流器を含み、前記整流器は前記太陽電池パネル、前記第２のソリッドステートリレー及び前記第１のＰＬＣユニットに電気的に接続される。
【００２９】
本発明の一実施例において、前記第２の電源は前記太陽電池パネル及び前記整流器に電気的に接続された蓄電池を更に含む。
【００３０】
本発明の一実施例において、前記照明システムは無線通信ネットワークサブシステムを更に含む。前記無線通信ネットワークサブシステムはホストと複数のノードを含み、前記ホストは前記制御ユニットに電気的に接続され、前記ノードは前記照明装置内に配置されるとともに前記ホストに接続される。
【００３１】
本発明の一実施例において、前記無線通信システムは、前記配電盤に接続された複数の照明装置を含み、前記ノードは前記照明装置内に配置される。
【００３２】
本発明の一実施例において、前記無線通信ネットワークサブシステムはメッシュネットワークシステムである。  
【００３３】
本発明の一実施例において、前記制御装置は前記制御ユニットに電気的に接続された独立の電源を更に含む。
【００３４】
以上から、本発明の電源システムは第１の電源を経てリレー装置に接続され、制御装置はＰＬＣを経てリレー装置及び第２の電源に接続される。従って、制御装置は第２の電源の電力発生状態をその整流器を介して知り、それによって更にリレー装置を制御し、配電盤の電源を切り替えることができる。即ち、制御装置は、第１及び第２の電源により配電盤に電力を供給する割合を第１の電源及び第２の電源の電力状態に従って決定することができる。こうして、本発明によれば電力を節約するとともに、第１及び第２の電源の設定を一層フレキシブルにすることができる。
【００３５】
本発明の一実施例において、前記照明システムは制御ユニットに電気的に制御された監視センタを更に含む。
【図面の簡単な説明】
【００３６】
【図１】図１は太陽エネルギーを利用する従来の電源システムの概略ブロック図である。
【図２】図２は本発明の一実施例による電源システムの概略ブロック図である。
【図３】図３ａ及び図３ｂは図２に示す第２の電源の他の実現例のブロック図である。
【図４】図４は図２に示すリレー装置の別の実現例のブロック図である。
【図５】図５は本発明の一実施例による無線通信システムの概略ブロック図である。
【図６】図６は本発明の一実施例による照明システムの概略ブロック図である。
【図７】図７は本発明の別の実施例による照明システムの概略ブロック図である。
【図８】図８は本発明の一実施例による監視システムの概略ブロック図である。
【図９】図９は本発明の別の実施例による監視システムの概略ブロック図である。
【発明を実施するための形態】
【００３７】
添付図面は本発明の更なる理解を深めるものであり、本明細書に含まれ、本明細書の一部を構成するものである。図面は本発明の種々の実施例を示し、明細書の記載とともに、本発明の原理を明らかにするものである。
【００３８】
以下に、図面に示される本発明の好適実施例について詳細に説明する。可能な限り、図面には同一又は同等の部分を示すために同じ参照番号を用いている。
【００３９】
図２は、本発明の一実施例による電源システムの概略ブロック図である。図２を参照すると、電源システム２００は、第１の電源２１０、第２の電源２２０、配電盤２３０、リレー装置２４０及び制御装置２５０を含む。
【００４０】
配電盤２３０は第１の電源２１０に電気的に接続される。リレー装置２４０は配電盤２３０に電気的に接続される。リレー装置２４０は、第１のソリッドステートリレー２４２、第２のソリッドステートリレー２４４、第２の電力線通信ユニット（ＰＬＣユニット）２４６及びスイッチユニット２４８を含む。第１のソリッドステートリレー２４２及び第２のソリッドステートリレー２４４は第１の電源２１０及び第２の電源２２０にそれぞれ電気的に接続され、第２のＰＬＣユニット２４６は第２の電源２２０及びスイッチユニット２４８に電気的に接続される。
【００４１】
制御装置２５０は、制御ユニット２５２及び第１のＰＬＣユニット２５４を含む。制御ユニット２５２は第２の電源２２０に電気的に接続され、第１のＰＬＣユニット２５４はリレー装置２４０と第２の電源２２０との間に電気的に接続され、第１のＰＬＣユニット２５４は制御ユニット２５２に電気的に接続される。第１のＰＬＣユニット２５４及び第２のＰＬＣユニット２４６は、スイッチユニット２４８を制御して第１のソリッドステートリレー２４２及び第２のソリッドステートリレー２４４に供給される電力をスイッチするために、信号を互いに転送する。加えて、制御装置２５０は、更に、独立電源２５６を含む。独立電源２５６は、第１の電源２１０及び第２の電源２２０の両方に電源故障が発生した非常時に制御ユニット２５２の正常動作を保証するための電池又はスーパーキャパシタとすることができる。
【００４２】
本実施例では、電源システム２００は大きなビルディングの電源システムに適用でき、このようなシステムでは、第１の電源２１０は住宅用電源、例えば発電機又はパワープラントにより供給される電源とすることができ、第２の電源２２０は補助電源、例えば太陽エネルギー電源とすることができる。例えば、第２の電源２２０は太陽電池パネル２２２及び整流器２２４を含むことができ、整流器２２４は太陽電池パネル２２２、第２のソリッドステートリレー２４４及び第２のＰＬＣユニット２５４に電気的に接続される。本例では、整流器２２４はＤＣ電力をＡＣ電力に整流するインバータ又は必要に応じＤＣ電力を別のＤＣ電力に整流する整流ユニットとすることができる。
【００４３】
加えて、配電盤２３０は、複数の第１の制御スイッチ２３２及び複数の第２の制御スイッチ２３４を含むことができる。第１の制御スイッチ２３２は第１の電源２１０に電気的に接続され、第２の制御スイッチ２３４はリレー装置２４０に電気的に接続される。特に、第１の制御スイッチ２３２は、例えばエアーコンディショナのような大きな電力を消費する電子デバイスに電力を供給するために使用されるが、第２の制御スイッチ２３４は非常はしご用照明装置のような低電力を消費する電子デバイスに電力を供給するために使用される。
【００４４】
第２の電源は、上記の実施の態様に加えて、他の態様に実施することもできる点に注意されたい。図３ａ及び図３ｂは、図２に示す第２の電源の他の実施態様のブロック図である。図２、３ａ及び３ｂを参照すると、第２の電源２２０ａは整流器２２４に電気的に接続された蓄電池２２６を更に含む。こうすると、太陽電池パネル２２２により発生される電流を整流器２２４を経て蓄電池２２６に非常用に蓄積することができる。更に、図３ｂに示すように、第２の電源２２０ｂは、太陽電池パネル２２２により蓄電池２２６及び整流器２２４に供給される電力の割合を制御するために、太陽電池パネル２２２と蓄電池２２６と整流器２２４との間に電気的に接続された充電コントローラ２２８を更に含む。
【００４５】
更に、リレー装置２４０は他の態様に実施することができる。図４は図２に示すリレー装置の別の実施態様のブロック図である。図２及び図４を参照すると、リレー装置２４０ａは、例えば第２のＰＬＣユニット２４６に電気的に接続されたプログラマブル論理制御ユニット２４１を含む。プログラマブル論理制御ユニット２４１は、例えばプログラマブルスイッチユニット２４８、第１のソリッドステートリレー２４２及び第２のソリッドステートリレー２４４を含む市販のプログラマブル論理制御ユニットとすることができる。プログラマブルスイッチユニット２４８ａは、第２のＰＬＣユニット２４６からコマンドを受信して、第１のソリッドステートリレー２４２及び第２のソリッドステートリレー１４４に供給される電力を切り替える。
【００４６】
本発明の電源システム２００は、リレー装置２４０及び第１のＰＬＣユニット２５４を含み、第１の電源２１０がリレー装置２４０に電気的に接続され、制御装置２５０がリレー装置２４０及び第２の電源２２０に第１のＰＬＣユニット２５４を経て接続されている。従って、制御装置２５０は整流器２２４を介して第２の電源２２０の電力状態を知り、第１の電源２１０及び第２の電源２２０により配電盤２３０に供給される電力をリレー装置２４０によって制御することができる。特に、制御装置２５０は、第１の電源２１０及び第２の電源２２０により配電盤２３０に供給する電力の比を第１の電源２１０及び第２の電源２２０の電力状態に従って決定することができ、これにより電力の節約のみならず、第１の電源２１０及び第２の電源２２０の設定をよりフレキシブルにすることもできる。
【００４７】
例えば、十分な太陽光がある場合には、制御装置２５０は第２の電源２２０をビルディングの各階の照明システムの給電に使用されるように設定することができるが、太陽光が不充分である場合には、第２の電源２２０の電力はビル全体の照明システムを給電するには不充分であり、制御装置２５０は第２の電源２２０を重要な照明装置、例えばロビーの照明の給電に使用されるように設定する。このようにすると、第２の電源２２０は高い効率で使用されるため、第１の電源２１０の消費量が減少し、電力の節約が得られる。
【００４８】
更に、上記の実施例では、第１の電源２１０及び第２の電源２２０を割り振る機能を達成するために共通の整流器２２４が制御装置２５０及びリレー装置２４０と一緒に使用される。従って、高性能の整流器が必要とされないため、電源システムのコストが減少する。
【００４９】
更に、上記の実施例では、第１の電源２１０及び第２の電源２２０を並列に接続する必要はない。即ち、上記の実施例の構成を大きなビルディングに適用するとき、太陽エネルギー電源と住宅用電源を互いに並列に接続する必要はなく、第１の電源２１０と第２の電源２２０の相互干渉が防げる。
【００５０】
上記実施例の電源システム２００は他のシステム、例えば無線通信ネットワークシステム、照明装置又はビルディング内の監視センタと一緒に使用することができる。以下の実施例は電源システム２００の他の応用例を証明する例として説明される。
【００５１】
図５は、本発明の一実施例による無線通信システムの概略ブロック図である。図５を参照すると、無線通信システム５００は、電源サブシステム（即ち前記電源システム）２００と、無線通信ネットワークサブシステム３００とを含む。無線通信ネットワークサブシステム３００は、ホスト３１０と複数のノード３２０を含み、ホスト３１０は制御ユニット２５２に電気的に接続され、ノード３２０はホスト３１０に接続される。例えば、無線通信ネットワークサブシステム３００はメッシュネットワークシステム、例えばＩＥＥＥ８０２．１５．４ ＺｉｇＢｅｅ無線通信システム、ＩＥＥＥ８０２．１５．４ ＺｉｇＢｅｅ Ｐｒｏ無線通信システム又はZ−Wave無線通信システムとすることができる。この実施例では、ノード３２０はメッシュ型ネットワークシステムを構成するようにビルディング内の照明装置内に配置することができる。節電効果を達成するために無線通信システム５００を第２の電源２２０により給電することができる。更に、無線通信システム５００は無線通信ネットワークサブシステム３００を介してビルディング内の人の分布に関する情報を知り、電源サブシステム２００に通知することができるため、電源サブシステム２００は電力状態を人の分布に従って制御することができる。尚、別の実施例(図示せず)では、無線通信サブシステムが非常時にも正常に働くことができるようにホストと各ノードは独立の電源を有する。
【００５２】
図６は、本発明の一実施例による照明システムの概略ブロック図である。この実施例は図５の実施例に部分的に類似し、この実施例及び図５に示す実施例において、同一もしくは同等の参照番号は同一もしくは同等の素子を示す。両実施例の差異は以下に詳細に記載するが、同一の特徴はこれ以上説明しない。
【００５３】
図６を参照すると、照明システム６００は電源サブシステム２００と複数の照明装置４００を含み、各照明装置４００はＬＥＤ光源４１０を含むことができる。照明装置４００は第２の制御スイッチ２３４に電気的に接続することができ、リレー装置２４０及び配電盤２３０は第１の電源２１０及び第２の電源２２０の電力を照明のために照明装置４００に割り当てることができる。このようにして、第１の電源２１０に電源故障が発生すると、制御装置２５０がリレー装置２４０を制御して照明装置４００の非常電源を第２の電源２２０により維持することができる。
【００５４】
加えて、この照明装置は上記の無線通信ネットワークサブシステム３００とともに使用することができる。図７は、本発明の別の実施例による照明装置の概略ブロック図である。この実施例は、図６に示す実施例に部分的に類似し、この実施例及び図５に示す実施例において、同一もしくは同等の参照番号は同一もしくは同等の素子を示す。両実施例の差異は以下に詳細に記載するが、同一の特徴はこれ以上説明しない。
【００５５】
図７を参照すると、照明システム６００と比較して、照明システム７００は無線通信ネットワークサブシステム３００を更に含む。ノード３２０は照明装置４００内に配置することができ、照明装置４００はノード３２０へ電力を供給するために使用される。
【００５６】
図８は本発明の一実施例による監視システムの概略ブロック図である。図８を参照すると、監視システム８００は電源サブシステム２００と監視センタ８００ａを含む。監視センタ８００ａは、例えばビルディングの監視システムであって、煙感知器、火災報知器、出入制御システム、通信システム等に電気的に接続され、これらを監視する。このようにして、監視センタ８００ａは検出結果を制御ユニット２５２に通知し、検出結果に対応する応答を行わせる。
【００５７】
更に、この監視システムは上記の無線通信ネットワークサブシステム３００（図７参照）並びに照明装置４００（図７参照）等とともに使用することができる。図９は本発明の別の実施例による監視システムの概略ブロック図である。この実施例は、図８に示す実施例に部分的に類似し、この実施例及び図８に示す実施例において、同一もしくは同等の参照番号は同一もしくは同等の素子を示す。両実施例の差異は以下に詳細に記載するが、同一の特徴はこれ以上説明しない。
【００５８】
図９を参照すると、監視システム９００は、制御ユニット２５２に接続された無線通信ネットワークサブシステム３００を更に含む。この実施例では無線通信ネットワークサブシステム３００を有する監視システムを例として説明するが、当業者であれば、監視システムを他のシステムと一緒に実装することができ、例えば監視システムを上記の照明装置４００と一緒に、又は無線通信ネットワークサブシステム３００及び照明装置４００の両方と一緒に用いることができる。
【００５９】
要約すれば、上記の実施例では、電源システムはリレー装置と第１のＰＬＣユニットを含み、第１の電源がリレー装置に接続され、制御装置が第１のＰＬＣを経てリレー装置及び第２の電源に接続され、よって、制御装置が第２の電源の電力状態を知り、且つリレー装置を経て第１の電源の電力状態を知り、リレー装置を介して第１及び第２の電源により配電盤に供給される電力を制御する。
【００６０】
更に、本発明の電源システムは、無線通信システムがより多くの電力を節約するように、無線通信ネットワークサブシステムと一緒に使用できる。更に、本発明の電源システムは、照明装置の照明効果を向上させるために、照明装置と一緒に使用することもできる。更に、本発明の電源システムは、ビルディング内で生じる状況に対処するために、監視センタと一緒に使用することもできる。
【００６１】
本発明の構成に対して本発明の範囲又は精神から離れることなく種々の変更や変形を加えることができることは当業者に明らかである。以上の記載からみて、本発明はこれらの変更や変形をカバーするものであり、これらの変更や変形は後記の請求項の範囲に含まれるものである。
【図１】
2010051166.tif 000003
【図２】
2010051166.tif 000004
【図３】
2010051166.tif 000005
【図４】
2010051166.tif 000006
【図５】
2010051166.tif 000007
【図６】
2010051166.tif 000008
【図７】
2010051166.tif 000009
【図８】
2010051166.tif 000010
【図９】
2010051166.tif 000011
【外国語明細書】
2010051166000001.pdf